(57)【要約】【課題】  光源の光の利用効率を向上したバックライト及び表示装置及び回胴式遊技機を提供する。【解決手段】  バックライト１は、例えばチップＬＥＤからなる光源１０と、光源１０を実装したプリント配線板１４と、逆角錐台形状の凹部１２ａを有し凹部１２ａの底に光源１０が露出するようにプリント配線板１４を保持したホルダ１１とを備える。凹部１２ａの内面は光源１０の光を反射するようになっている。光源１０から出射して凹部１２ａの内面に入射した光はリール２の内面へ反射され、かつ、リール２の内面で反射された光は凹部１２ａの内面で反射して再びリール２に入射するから、光源１０の光の利用効率が向上する。【選択図】図１
2006223388.tif 000002
【特許請求の範囲】
【請求項１】
回胴式遊技機の透光性を有する材料からなる円筒形状のリール内に配置され、リールに描かれた絵柄を照明するバックライトであって、
光源と、光源が内部に収納され、開口面に沿った断面を開口面に近付くほど大きくする方向に内面が光源の全周にわたって傾斜し開口がリールの内面に向けられる凹部を有し凹部の内面が光源の光を反射する配光部材とを備えることを特徴とするバックライト。
【請求項２】
配光部材の凹部の開口は、リールに記された絵柄複数個分に対応する寸法形状を有することを特徴とする請求項１記載のバックライト。
【請求項３】
配光部材の凹部の内面は、平面、または、断面が内面側を凹とする放物線である曲面からなることを特徴とする請求項１または請求項２記載のバックライト。
【請求項４】
光源が発光ダイオードからなる請求項１〜３のいずれか記載のバックライトと、光源の光を吸収して光源の光とは異なる色の蛍光を放つ物質を含むリールとを備えることを特徴とする表示装置。
【請求項５】
請求項１〜３のいずれか記載の複数個のバックライトと、それぞれ透光性を有する材料からなる円筒形状であって少なくとも１個のバックライトが内側に配置され該バックライトによって照明される複数個のリールと、手操作される操作手段と、操作手段に加えられた操作に応じて各リールを回転・停止させる駆動手段とを備えることを特徴とする回胴式遊技機。
【発明の詳細な説明】
【技術分野】
【０００１】
本発明は、回胴式遊技機の透光性を有する材料からなる円筒形状のリール内に配置され、リールに描かれた絵柄を照明するバックライト及びこれを用いた表示装置及び回胴式遊技機に関するものである。
【背景技術】
【０００２】
従来から、図６に示すようにそれぞれ透光性を有する材料からなり外周面に複数の絵柄２１が周方向に並べて描かれた円筒形状の複数のリール２を有する、スロットマシンとも呼ばれる回胴式遊技機において、リール２の内側に配置されてリール２を照明するバックライト１が提供されている（例えば、特許文献１参照）。
【０００３】
このバックライト１は、例えば白熱電球からなる３個の光源１０と、それぞれ光源１０の発光部が収納された３個の凹部１１ａを有し各光源１０をそれぞれ保持するホルダ１１とを備える。各凹部１１ａの開口は、それぞれリール２に描かれた絵柄２１の１個分の寸法形状に形成されている。
【０００４】
図６において、バックライト１は表示装置３に組み込まれている。表示装置３は、３個のリール２（２個のみ図示）と、各リール２の内側に１個ずつ配置された計３個のバックライト１と、各バックライト１及びリール２をそれぞれ保持するケース５とを有する。ケース５は、平板形状の基部５１と、図６の左右に並べて設けられそれぞれ基部５１から図６の上方へ突設された３個の突出部５２と、各突出部５２からそれぞれ図６の左方へ突設された保持部５３とを有し、バックライト１のホルダ１１はケース５の保持部５３に例えばねじ止めによって保持されている。
【特許文献１】特開平１０−３２８３５０号公報
【発明の開示】
【発明が解決しようとする課題】
【０００５】
しかし、従来のバックライト１では、凹部１１ａの内面での光の反射は特に考慮されておらず、かつ、凹部１１ａにおいて光源１０の四方の内側壁はそれぞれ凹部１１ａの底面に対して略垂直となっていたために凹部１１ａの内側壁で反射された光が対向する別の内側壁に入射するので、ホルダ１０に吸収される光が多く、光源１０の光の利用効率が低かった。
【０００６】
本発明は上記事由に鑑みて為されたものであり、その目的は、光源の光の利用効率を向上したバックライト及び表示装置及び回胴式遊技機を提供することにある。
【課題を解決するための手段】
【０００７】
請求項１の発明は、回胴式遊技機の透光性を有する材料からなる円筒形状のリール内に配置され、リールに描かれた絵柄を照明するバックライトであって、光源と、光源が内部に収納され、開口面に沿った断面を開口面に近付くほど大きくする方向に内面が光源の全周にわたって傾斜し開口がリールの内面に向けられる凹部を有し凹部の内面が光源の光を反射する配光部材とを備えることを特徴とする。
【０００８】
この発明によれば、光源から出射して配光部材の凹部の内面に入射した光はリールの内面へ反射され、かつ、リールの内面で反射された光は配光部材によって反射されて再びリールに入射するから、光源の光の利用効率が向上する。
【０００９】
請求項２の発明は、請求項１の発明において、配光部材の凹部の開口は、リールに記された絵柄複数個分に対応する寸法形状を有することを特徴とする。
【００１０】
この発明によれば、１個の光源で複数個の絵柄を照明することができる。
【００１１】
請求項３の発明は、請求項１または請求項２の発明において、配光部材の凹部の内面は、平面、または、断面が内面側を凹とする放物線である曲面からなることを特徴とする。
【００１２】
請求項４の発明は、光源が発光ダイオードからなる請求項１〜３のいずれか記載のバックライトと、光源の光を吸収して光源の光とは異なる色の蛍光を放つ物質を含むリールとを備えることを特徴とする。
【００１３】
請求項５の発明は、請求項１〜３のいずれか記載の複数個のバックライトと、それぞれ透光性を有する材料からなる円筒形状であって少なくとも１個のバックライトが内側に配置され該バックライトによって照明される複数個のリールと、手操作される操作手段と、操作手段に加えられた操作に応じて各リールを回転・停止させる駆動手段とを備えることを特徴とする。
【発明の効果】
【００１４】
本発明は、光源が内部に収納され、開口面に沿った断面を開口面に近付くほど大きくする方向に内面が光源の全周にわたって傾斜し開口がリールの内面に向けられる凹部を有し凹部の内面が光源の光を反射する配光部材を備えるので、光源から出射して配光部材の凹部の内面に入射した光はリールの内面へ反射され、かつ、リールの内面で反射された光は配光部材によって反射されて再びリールに入射するから、光源の光の利用効率が向上する。
【発明を実施するための最良の形態】
【００１５】
以下、本発明を実施するための最良の形態について、図面を参照しながら説明する。なお、以下の説明において、リール２及びケース５の構成は従来例と共通であるので、図示及び説明を省略している。
【００１６】
本実施形態は、図１に示すように、白色の光を放つチップ型の発光ダイオードからなる光源１０と、光源１０を実装したプリント配線板１４と、図１（ａ）における上下に長い長方形状に開口した逆角錐台形状の凹部１２ａを有し凹部１２ａの底に光源１０が露出するようにプリント配線板１４を保持したホルダ１１とを備える。以下、上下左右は図１（ａ）を基準とし、図１（ｂ）の右方向を前方向と呼ぶ。
【００１７】
ホルダ１１は例えば合成樹脂成形品からなり、開口がリール２の内面に向けられる凹部１２ａを前面に有する本体部１２と、本体部１２の右側へ突設され貫通穴１３ａが貫設された取付部１３とを有する。ケース５の保持部５３（図６参照）に設けられた貫通穴（図示せず）とホルダ１１の取付部１３に設けられた貫通穴１３ａとに挿通されたボルトと、ボルトが螺合するナットとにより、ホルダ１１はケース５に保持される。
【００１８】
詳しく説明すると、本体部１２は長方形枠状の枠部１２ｂと、枠部１２ｂの内側へ突設され前面が凹部１２ａとなった反射部１２ｃとを有する。反射部１２ｃは、それぞれ長辺が枠部１２ｂの前端に連結され枠部１２ｂの中心に近付くほど後方へ傾斜した４つの台形状の平板が組み合わさった角錐台形状となっており、前方から見た中央において台形状の短辺に囲まれた開口を有する。
【００１９】
反射部１２ｃの後端にはプリント配線板１４を挟んで上下に対向する２個の係止部１２ｄが突設されており、プリント配線板１４の前面が反射部１２ｃの後端に当接するとともに、各係止部１２ｄの後端から内側へ突設された係止爪１２ｅがプリント配線板１４の後面に係止されることにより、プリント配線板１４はホルダ１１に保持されている。ここにおいて、光源１０は反射部１２ｃの中央の開口から前方へ露出する。つまり、凹部１２ａの内面は、光源１０の全周にわたって、凹部１２ａの開口面に沿った断面を開口面に近付くほど大きくする方向に傾斜している。また、光源１０に電源を供給する電線６は、反射部１２ｃの中央の開口の右側であって反射部１２ｃの後側においてプリント配線板１４に接続されている。
【００２０】
さらに、枠部１２ｂの左右の端部には、それぞれ遮光部１２ｆが前方へ突設されている。各遮光部１２ｆは上下方向の中央部に近付くほど前方への突出寸法を大きくする円弧形状に形成されており、本体部１２の前端とリール２の内面との間の隙間からの光源１０の光の左右への漏れを抑制する。
【００２１】
取付部１３は、本体部１２の右端部から後方へ突設された突出部１３ｂと、突出部１３ｂの後端部から右方へ突設され貫通穴１３ａが前後に貫設された基部１３ｃと、基部１３ｃの前面から貫通穴１３ａの上下に対向して２個前方へ突設され本体部１２の枠部１２ｂの右面と取付部１３の突出部１３ｂの右面とに連結され基部１３ｃを機械的に補強する補強部１３ｄとを備える。
【００２２】
凹部１２ａの内面には例えば銀めっきが施され、光源１０の光を反射するようになっている。つまり、ホルダ１１が配光部材である。なお、凹部１２ａの内面に銀めっきを施す代わりに、凹部１２ａの内面を白色とすることにより光源１０の光を反射するようにしてもよい。また、ホルダ１１の材料として合成樹脂成形品に代えて金属を用いることにより、凹部１２ａの内面が光源１０の光を反射するようにしてもよい。
【００２３】
また、凹部１２ａの開口（反射部１２ｃの前側の開口）は、リール２の絵柄２１の３個分の寸法形状に形成されている。これにより、１個の光源１０で３個の絵柄２１を照明することができる。
【００２４】
上記構成によれば、光源１０から出射して凹部１２ａの内面に入射した光はリール２の内面へ反射され、かつ、リール２の内面で反射された光は凹部１２ａの内面で反射して再びリール２に入射するから、光源１０の光の利用効率が向上する。
【００２５】
また、光源１０として発光ダイオードを用いたことにより、従来例のように光源１０として白熱電球を用いる場合に比べ、消費電力が低減される上に、光源１０の寿命が長くなるから光源１０の交換の頻度が下がって維持コストが低減される。
【００２６】
さらに、砲弾型の発光ダイオードよりも光の指向性が低いチップ型の発光ダイオードを光源１０として用いたので、砲弾型の発光ダイオードを光源１０として用いる場合に比べ、リール２上の輝度をより均一とすることができるから、遊戯者の目の負担を軽減することができる。
【００２７】
ここで、光源１０を複数個とした場合、光源１０の特性のばらつきによって照明にむらが生じることが考えられるが、本発明では、光源１０を１個としたので、上記のようなむらは発生しない。
【００２８】
本発明者は、従来例と本発明とのそれぞれにおいて、光源１０を点灯させた状態で図２に示すようにリール２の絵柄２１上の３箇所（１番〜３番）と絵柄２１のない場所２箇所（４番，５番）とでそれぞれ輝度を測定した。この結果、下記のように１個の光源１０でも十分な明るさが得られることが分かった。
【００２９】
【表１】
2006223388.tif 000003
【００３０】
また、本実施形態の光源１０は白色の光を放つので、赤みを帯び比較的に比視感度の低い光を放つ白熱電球を光源１０とした従来例に比べ、人の目には実際の輝度の差以上の差を感じられる。
【００３１】
なお、凹部１２ａの内面の形状は上記のように平面形状に限られず、図３に示すように断面が内面側を凹とする放物線形状となるような曲面形状としてもよい。凹部１２ａの形状を図３のようにすれば、リール２の絵柄２１の３個分の範囲から上下左右に漏れる光を低減し、光源１０の光の利用効率をさらに向上することができる。
【００３２】
また、図４に示すようにそれぞれ開口が絵柄２１の１個分の寸法形状を有する凹部１２ａを３個設け、各凹部１２ａにそれぞれ光源１０を配置するようにしてもよい。図４の例では、３個の光源１０は共通のプリント配線板１４に実装されている。また、プリント配線板１４の後面に係止される係止爪１２ｅは、枠部１２ｂの後端部に設けられている。各凹部１２ａに対応して反射部１２ｃも上下に並べて３個設けられており、互いに隣接する反射部１２ｃの間には仕切り部１２ｇが設けられている。また、電線６は、プリント配線板１４の後面に実装されたコネクタ７を介してプリント配線板１４に接続されている。この構成を採用すれば、３個の光源１０が必要となる代わりに、３個の絵柄２１を同等の条件でより均一に照明することができる。
【００３３】
さらに、光源１０の光を吸収して異なる色の蛍光を放つ蛍光体をリール２の材料に混入してもよい。例えば、窒化ガリウムを材料とし青色の光を放つ発光ダイオードを光源１０として用いるとともに、青色の光を吸収して黄色の蛍光を放つＹＡＧ蛍光体をリール２の材料に混入させれば、青色と黄色との混色によって白色が得られる。
【００３４】
上記のバックライト１は、図５に示す回胴式遊技機に用いることができる。この回胴式遊技機は、３個のリール２と、リール２の内側に１個ずつ配置された計３個のバックライト１と、各リール２を個別に回転・停止させる例えばモータを有する駆動部（図示せず）と、リール２とバックライト１と駆動部とを保持したケース５（図６参照）とを有する表示装置３を備える。リール２は、中心軸を揃えて筐体４内に左右に並べて配置されている。また、筐体４内には、駆動部を制御する制御部（図示せず）が収納されている。
【００３５】
筐体４の前面には、各リール２についてそれぞれ３個の絵柄２１を露出させる寸法形状の窓部４１が設けられている。各リール２は回転後にはそれぞれ窓部４１の上下方向の中央に１個の絵柄２１が露出する位置で停止するようになっており、全てのリール２が停止した状態では縦横に３列ずつ合計９個の絵柄２１が窓部４１に露出する。また、表示装置３には、各リール２の回転量をそれぞれ検知する回転検知部（図示せず）が設けられている。
【００３６】
さらに、筐体４の前面には、メダル（図示せず）が投入される投入口４２と、メダルが排出される排出口４３と、排出口４３から排出されたメダルを受ける受け皿４４と、スタートレバー４５及びそれぞれ１個ずつのリールに対応した３個のストップ釦４６とが設けられている。また、筐体４内には、メダルを格納するメダル格納部（図示せず）と、制御部によって制御されメダル格納部のメダルを排出口４３から排出させる排出制御部（図示せず）とが収納されている。
【００３７】
上記回胴式遊技機の動作を説明する。遊戯者が投入口４２からメダルを投入してスタートレバー４５を操作すると、駆動部が全てのリール２の回転を開始させる。次に、遊戯者がストップ釦４６を操作すると、駆動部は操作されたストップ釦４６に対応したリール２を停止させる。全てのリール２が停止すると、制御部は、例えば同じ絵柄２１といったように予め決まった複数種類の組み合わせ（以下、「役」と呼ぶ。）のいずれかが窓部４１において横または斜めのいずれかで１列に揃ったか否かを、回転検知部の出力に基いて判定する。そして、いずれかの役が揃っていれば、制御部は、排出制御部を制御し、揃った役に応じた数のメダルを排出口４３から排出させる。
【００３８】
なお、上記の駆動部、制御部、回転検知部、排出制御部は、それぞれ周知の技術で実現可能であるから説明を省略する。
【図面の簡単な説明】
【００３９】
【図１】本発明の実施形態を示す図であり、（ａ）は正面図、（ｂ）は（ａ）のＡ−Ａ断面図、（ｃ）は（ａ）のＢ−Ｂ断面図である。
【図２】同上の効果を示す実験においてリール上の輝度を測定した箇所を示す説明図である。
【図３】同上の別の形態を示す図であり、（ａ）は正面図、（ｂ）は（ａ）のＣ−Ｃ断面図、（ｃ）は（ａ）のＤ−Ｄ断面図である。
【図４】同上の更に別の形態を示す図であり、（ａ）は正面図、（ｂ）は（ａ）のＥ−Ｅ断面図、（ｃ）は（ａ）のＦ−Ｆ断面図である。
【図５】同上が用いられる回胴式遊技機を示す正面図である。
【図６】従来の表示装置において中央のリールを取り外した状態を示す斜視図である。
【符号の説明】
【００４０】
１  バックライト
２  リール
３  表示装置
１０  光源
１１  ホルダ
１２ａ  凹部
４５  スタートレバー
４６  ストップ釦
【図１】
2006223388.tif 000004
【図２】
2006223388.tif 000005
【図３】
2006223388.tif 000006
【図４】
2006223388.tif 000007
【図５】
2006223388.tif 000008
【図６】
2006223388.tif 000009